(57)【要約】【課題】染料を着色剤として用いた水性インクにおける、黒インクとカラーインクの間のブリードを減少させ、吐出信頼性を向上させたインクジェット記録用インクセット、該インクセットを用いたインクジェット記録方法及び記録物の提供。【解決手段】（１）黒インクとカラーインクからなるインクジェット記録用インクセットにおいて、各インクが、少なくとも染料、水溶性溶剤及び水を含有し、２５℃における粘度が５〜２０ｍＰａ・ｓであり、各インク中の水溶性溶剤の含有量Ｓと水の含有量Ｗの比率（Ｓ／Ｗ）について、前記カラーインクが、Ｓ／Ｗ≧１を満たし、前記黒インクが、Ｓ／Ｗ＜１を満たすインクジェット記録用インクセット。（２）前記カラーインクが、１≦Ｓ／Ｗ≦１．６を満たし、前記黒インクが、０．７≦Ｓ／Ｗ＜１を満たす（１）記載のインクジェット記録用インクセット。【選択図】なし【特許請求の範囲】
【請求項１】
黒インクとカラーインクからなるインクジェット記録用インクセットにおいて、各インクが、少なくとも染料、水溶性溶剤及び水を含有し、２５℃における粘度が５〜２０ｍＰａ・ｓであり、各インク中の水溶性溶剤の含有量Ｓと水の含有量Ｗの比率（Ｓ／Ｗ）について、前記カラーインクが、Ｓ／Ｗ≧１を満たし、前記黒インクが、Ｓ／Ｗ＜１を満たすことを特徴とするインクジェット記録用インクセット。
【請求項２】
前記カラーインクが、１≦Ｓ／Ｗ≦１．６を満たし、前記黒インクが、０．７≦Ｓ／Ｗ＜１を満たすことを特徴とする請求項１記載のインクジェット記録用インクセット。
【請求項３】
前記カラーインクが、シアン、マゼンタ、及びイエローインクであることを特徴とする請求項１又は２記載インクジェット記録用インクセット。
【請求項４】
インクに刺激を印加し飛翔させて画像を記録するインク飛翔手段を備えたインクジェット記録装置を用い、請求項１〜３のいずれかに記載のインクジェット記録用インクセットの各インクを吐出することを特徴とするインクジェット記録方法。
【請求項５】
請求項１〜３のいずれかに記載のインクジェット記録用インクセットを用いて記録された記録物。
【発明の詳細な説明】
【技術分野】
【０００１】
本発明は、インクジェット記録用インクセット、インクジェット記録方法及び記録物に関するものである。
【背景技術】
【０００２】
インクジェットプリンターは、低騒音、低ランニングコストといった利点から目覚しく普及し、普通紙に印字可能なカラープリンタも市場に盛んに投入されるようになった。しかし、画像の色再現性、耐擦化性、耐久性、耐光性、画像の乾燥性、文字にじみ（フェザリング）、色境界にじみ（カラーブリード）、両面印刷性、吐出安定性など要求される全ての特性を満足することは非常に難しいため、用途に応じて、優先される特性により用いるインクを選択している。
インクジェット記録用インクは水を主成分とし、着色剤及びグリセリンなどの湿潤剤を含有させたものが一般的である。着色剤としては、染料及び顔料が主に用いられている。染料は、発色性や安定性に優れるが、画像の耐光性、耐ガス性、耐水性などが劣る。一方で顔料は、耐光性、耐ガス性、耐水性に優れるが、発色性が劣るという問題がある。
更に染料インクは普通紙などの紙上でにじみ易いという問題があり、特に黒インクとカラーインクとの境界におけるにじみ（カラーブリード）の解消が課題となっている。
カラーブリードの解決方法としては、カラーインクの紙への浸透性を黒インクよりも高くすることにより、画像上で黒インクがカラーインクの領域に浸透しないようにする方法があり、界面活性剤の添加とその量の調整により対応しようとしているが、顔料インクと同等レベルまでは到達できていない。また、インク粘度を高くすることにより浸透性を抑える方法もあるが、インクジェットでインクを安定に吐出するための粘度にも上限があるため、充分な効果が得られていないというのが現状である。
水溶性溶剤が水分よりも多いインクセットは特許文献１に記載されているが、黒インクもカラーインクも水溶性溶剤が水分よりも多い構成となっており、黒とカラー間のブリードが発生し易いという問題がある。
また、単色で水溶性溶剤が水分よりも多いインクは、特許文献１〜５などに記載されているが、カラーブリードについては考慮されていない。
【発明の開示】
【発明が解決しようとする課題】
【０００３】
本発明は、染料を着色剤として用いた水性インクにおける、黒インクとカラーインクの間のブリードを減少させ、吐出信頼性を向上させたインクジェット記録用インクセット、該インクセットを用いたインクジェット記録方法及び記録物の提供を目的とする。
【課題を解決するための手段】
【０００４】
上記課題は、次の１）〜５）の発明によって解決される。
１）  黒インクとカラーインクからなるインクジェット記録用インクセットにおいて、各インクが、少なくとも染料、水溶性溶剤及び水を含有し、２５℃における粘度が５〜２０ｍＰａ・ｓであり、各インク中の水溶性溶剤の含有量Ｓと水の含有量Ｗの比率（Ｓ／Ｗ）について、前記カラーインクが、Ｓ／Ｗ≧１を満たし、前記黒インクが、Ｓ／Ｗ＜１を満たすことを特徴とするインクジェット記録用インクセット。
２）  前記カラーインクが、１≦Ｓ／Ｗ≦１．６を満たし、前記黒インクが、０．７≦Ｓ／Ｗ＜１を満たすことを特徴とする１）記載のインクジェット記録用インクセット。
３）  前記カラーインクが、シアン、マゼンタ、及びイエローインクであることを特徴とする１）又は２）記載インクジェット記録用インクセット。
４）  インクに刺激を印加し飛翔させて画像を記録するインク飛翔手段を備えたインクジェット記録装置を用い、１）〜３）のいずれかに記載のインクジェット記録用インクセットの各インクを吐出することを特徴とするインクジェット記録方法。
５）  １）〜３）のいずれかに記載のインクジェット記録用インクセットを用いて記録された記録物。
【発明の効果】
【０００５】
本発明によれば、染料を着色剤として用いた水性インクにおける、黒インクとカラーインクの間のブリードを減少させ、吐出信頼性を向上させたインクジェット記録用インクセット、該インクセットを用いたインクジェット記録方法及び記録物を提供できる。
【図面の簡単な説明】
【０００６】
【図１】インクジェット記録装置のインクカートリッジ装填部のカバーを開いた状態の斜視説明図である。
【図２】インクジェット記録装置の全体構成を説明する概略構成図である
【０００７】
以下、上記本発明について詳しく説明する。
本発明のインクジェット記録用インクセット（以下、インクセットということもある。）は、黒インクとカラーインクからなり、各インクは、少なくとも染料、水溶性溶剤及び水を含有し、かつ、２５℃における粘度が５〜２０ｍＰａ・ｓである。
前記粘度が５ｍＰａ・ｓよりも小さい場合には、インクジェットノズルから吐出する際にミストやサテライトが発生して画像品位が低下する傾向があるし、インクの浸透性が高くなり過ぎるため、黒インクとカラーインク間のブリードが悪化する傾向が見られる。
また、前記粘度が２０ｍＰａ・ｓよりも高い場合は、インクジェットノズルからの吐出が不安定になり吐出曲がりが発生するため、ベタ部の埋まりが悪くなったり、文字の輪郭がぼやけるなどの画質への悪影響が現れてくる。
【０００８】
また、本発明のインクセットでは、各インク中の水溶性溶剤の含有量Ｓと水の含有量Ｗの比率をＳ／Ｗとして、カラーインクではＳ／Ｗ≧１を満たす必要がある。しかし、Ｓ／Ｗが大きくなりすぎると（例えば３以上）、染料が溶解できなくなり析出して結晶化するため、吐出曲がりや不吐出などが発生することがあるので好ましくない。さらに、Ｓ／Ｗが１．６より大きい程度の場合でも、カラーインクの浸透性が強くなって黒インクとのバランスが崩れるため、ブリードが悪化する傾向が見られる。このようなことから、カラーインクについては、１≦Ｓ／Ｗ≦１．６であることが好ましい。
同様に黒インクではＳ／Ｗ＜１満たす必要がある。しかし、Ｓ／Ｗが０．２よりも小さくなると、水溶性溶剤の持つ保湿性が低下するためインクジェットノズルから水分が蒸発し、粘度が２０ｍＰａ・ｓを超えて吐出曲がりなどが発生してしまうことがあるので好ましくない。更に、Ｓ／Ｗが０．７より小さい程度の場合でも、黒インクの浸透性が弱くなりカラーインクとのバランスが崩れるため、ブリードが悪化する傾向が見られる。このようなことから、黒インクについては、０．７≦Ｓ／Ｗ＜１であることが好ましい。
【０００９】
本発明のインクセットにおいてカラーインクの種類は特に限定されないが、最も一般的なカラーの組み合わせは、シアン、マゼンタ、イエローである。
更に、沸点が高く揮発性が低い水溶性溶剤を用いれば引火点を持たないインクとすることができる。このようなインクの場合、水溶性溶剤の蒸発によるインク物性の変化が少ないため、長期の放置保存においても安定した吐出が得られる。また、製品の安全性を確保するためにもインクが引火点を持たない方が好ましい。
【００１０】
−染料−
本発明で着色剤として用いる染料としては、直接染料、酸性染料、塩基性染料、反応性染料のような水溶性染料が好ましい。具体的には以下のようなものが挙げられるが、これらに限定されるものではない。
（直接染料）
Ｃ．Ｉ．ダイレクトレッド２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２２１、２２３、２２４、２２５、２２６、２２７、２３２、２３３、２４０、２４１、２４２、２４３、２４７など；
Ｃ．Ｉ．ダイレクトバイオレット７、９、４７、４８、５１、６６、９０、９３、９４、９５、９８、１００、１０１など；
Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３など；
Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１など；
Ｃ．Ｉ．ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９５、１９９など。
【００１１】
（酸性染料）
Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７など；
Ｃ．Ｉ．アシッドバイオレット５、３４、４３、４７、４８、９０、１０３、１２６など；
Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７など；
Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６など；
Ｃ．Ｉ．アシッドブラック７、２４、２９、４８、５２：１、１７２など。
【００１２】
（塩基性染料）
Ｃ．Ｉ．ベーシックイエロー１、２、１１、１３、１４、１５、１９、２１、２３、２４、２５、２８、２９、３２、３６、４０、４１、４５、４９、５１、５３、６３、６４、６５、６７、７０、７３、７７、８７、９１など；
Ｃ．Ｉ．ベーシックレッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２など；
Ｃ．Ｉ．ベーシックバイオレット１、３、７、１０、１１、２７など；
Ｃ．Ｉ．ベーシックブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５など；
Ｃ．Ｉ．ベーシックブラック２、８など。
【００１３】
（反応染料）
Ｃ．Ｉ．リアクティブイエロー１、２、３、５、１１、１３、１４、１５、１７、１８、２０、２１、２２、２３、２４、２５、２６、２７、２９、３５、３７、４０、４１、４２、４７、５１、５５、６５、６７など；
Ｃ．Ｉ．リアクティブレッド１、３、１３、１４、１７、１９、２１、２２、２３，２４、２５、２６、２９、３１、３２、３５、３７、４０、４１、４３、４４、４５、４６、４９、５５、６０、６６、７４、７９、９６、９７、１８０など；
Ｃ．Ｉ．リアクティブバイオレット１、３、４、５、６、７、８、９、１６、１７、２２、２３、２４、２６、２７、３３、３４など；
Ｃ．Ｉ．リアクティブブルー１、２、３、５、７、８、１０、１３、１４、１５、１７、１８、１９、２１、２３、２５、２６、２７、２８、２９、３２、３５、３８、４１、６３、８０、９５など；
Ｃ．Ｉ．リアクティブブラック３、４、５、７、８、１１、１２、１４、１７、２１、２３、２６、３１、３２、３４など。
【００１４】
−水溶性溶剤−
本発明に係るインクは水を液媒体として用いるものであるが、インクの乾燥を防止するための湿潤剤、及び浸透性を付与するための浸透剤などの種々の目的で水溶性溶剤が併用される。これらの水溶性溶剤は複数を混合して用いてもよく、具体例としては、以下のようなものが挙げられる。
エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、１，３−ブタンジオール、３−メチル−１，３−ブタンジオール、１，５−ペンタンジオール、２，２，４−トリメチル−１，３−ペンタンジオール、２−エチル−１，３−ヘキサンジオール、１，６−ヘキサンジオール、ヘキシレングリコール、グリセリン、トリメチロールエタン、トリメチロールプロパン、１，２，３−ブタントリオール、１，２，４−ブタントリオール、１，２，６−ヘキサントリオール、ペトリオールなどの多価アルコール類；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテルなどの多価アルコールアルキルエーテル類；
エチレングリコールモノフェニルエーテル、エチレングリコールモノベンジルエーテルなどの多価アルコールアリールエーテル類；
【００１５】
２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトンなどの含窒素複素環化合物；
ホルムアミド、Ｎ−メチルホルムアミド、Ｎ，Ｎ−ジメチルホルムアミドなどのアミド類；
モノエタノールアミン、ジエタノールアミン、トリエタノールアミン、モノエチルアミン、ジエチルアミン、トリエチルアミンなどのアミン類；
ジメチルスルホキシド、スルホラン、チオジエタノールなどの含硫黄化合物類；
プロピレンカーボネート、炭酸エチレン。
これら水溶性溶剤の中でも、特にグリセリン、ジエチレングリコール、トリエチレングリコール、１，３−ブタンジオール、１，６−ヘキサンジオール、プロピレングリコール、１、５−ペンタンジオール、ジプロピレングリコール、トリメチロールプロパン、３−メチル−１，３−ブタンジオールが好ましい。これらは溶解性と水分蒸発による噴射特性不良の防止に対して優れた効果が得られる。
【００１６】
上記以外の水溶性溶剤で湿潤剤として使用できるものとしては、糖類とその誘導体が挙げられる。糖類には単糖類、二糖類、オリゴ糖類（三糖類及び四糖類を含む）及び多糖類があるが、好ましくはグルコース、マンノース、フルクトース、リボース、キシロース、アラビノース、ガラクトース、マルトース、セロビオース、ラクトース、スクロース、トレハロース、マルトトリオースなどである。ここで、多糖類とは広義の糖を意味し、α−シクロデキストリン、セルロースなど自然界に広く存在する物質を含む意味に用いることとする。
また、糖類の誘導体としては、前記した糖類の還元糖〔例えば、糖アルコール（一般式ＨＯＣＨ２（ＣＨＯＨ）ｎＣＨ２ＯＨ（ここでｎ＝２〜５の整数を表す。）〕、酸化糖（例えば、アルドン酸、ウロン酸など）、アミノ酸、チオ酸などが挙げられる。特に糖アルコールが好ましく、具体例としてはマルチトール、ソルビットなどが挙げられる。
【００１７】
前述の水溶性溶剤の中で湿潤剤として特に好ましいのは、グリセリン、ジエチレングリコール、トリエチレングリコール、１，３−ブタンジオール、１，６−ヘキサンジオール、プロピレングリコール、１、５−ペンタンジオール、ジプロピレングリコール、トリメチロールプロパン、３−メチル−１，３−ブタンジオールなどである。これらを用いることにより保存安定性及び吐出安定性に優れたインクを作成することができる。
湿潤剤のインク中における配合量は１５〜７５重量％が好ましく、より好ましくは３５〜６５重量％であり、この範囲では乾燥性、保存性、信頼性が非常に良好である。配合量が１５重量％よりも少ないと、吐出ヘッドのノズル孔から水分が蒸発することにより粘度が上昇するため、正常にインクを吐出できなくなる。また、７５重量％よりも多くなると染料が溶解できなくなるため、染料が結晶化して析出することによりノズル孔が詰まるなどの問題が発生する。
【００１８】
浸透剤としての水溶性溶剤をインクに添加すると、表面張力が低下し、紙などの記録媒体にインク滴が着弾した後の記録媒体中への浸透が速くなるため、フェザリングやカラーブリードを軽減できる。
本発明における適正な表面張力の範囲は２５℃において２５〜４５ｍＮ／ｍである。
前述の水溶性溶剤の中で浸透剤として特に好ましいのは、２−エチル−１，３−ヘキサンジオール、２，２，４−トリメチル−１，３−ペンタンジオールなどの炭素数８〜１１のポリオールである。
浸透剤のインク中における配合量は、０．１〜５重量％が好ましく、より好ましくは、０．５〜３重量％である。配合量が０．１重量％よりも少ないと浸透性が不足するため、画像ベタ部をインクで覆うことができなくなり、画像濃度の低下などの問題が発生する。一方で、浸透剤として用いられる水溶性溶剤は水への溶解性が低く、５重量％以上では溶解できなくなるため、インクの保存性が悪くなるなどの問題が発生する。
浸透剤としては水溶性溶剤以外に界面活性剤を用いてもよい。このような界面活性剤としては、親水基によりノニオン性界面活性剤、アニオン性界面活性剤、両性界面活性剤が挙げられ、疎水基によりシリコーン系界面活性剤、フッ素系界面活性剤などが挙げられる。界面活性剤は２種類以上を混合して用いることも可能である。
【００１９】
本発明に係るインクには、必要に応じて、防腐防黴剤、防錆剤、酸化防止剤、紫外線吸収剤、酸素吸収剤、光安定化剤、ｐＨ調整剤、キレート試薬、コゲーション防止剤など従来公知の添加剤を適宜選択して加えることができる。
−防腐防黴剤−
防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウムなどが挙げられる。
−防錆剤−
防錆剤としては、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
−酸化防止剤−
酸化防止剤としては、フェノール系酸化防止剤（ヒンダードフェノール系酸化防止剤を含む）、アミン系酸化防止剤、硫黄系酸化防止剤、りん系酸化防止剤などが挙げられる。
【００２０】
−紫外線吸収剤−
前記紫外線吸収剤としては、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
−ｐＨ調整剤−
ｐＨ調整剤は、インクをアルカリ性に保つことにより分散状態を安定化し、吐出を安定化させるために添加する。しかし、ｐＨ１１以上ではインクジェットヘッドやインク供給ユニットを溶かし出す量が大きくなり、インクの変質や、漏洩、吐出不良などの問題が発生してしまうので好ましくない。
ｐＨ調整剤としては、アルコールアミン類、アルカリ金属水酸化物、アンモニウム水酸化物、ホスホニウム水酸化物、アルカリ金属炭酸塩を一種類以上含むものが好ましく、アルコールアミン類としては、ジエタノールアミン、トリエタノールアミン、２−アミノ−２−エチル−１，３−プロパンジオールなどが挙げられる。アルカリ金属元素の水酸化物としては、水酸化リチウム、水酸化ナトリウム、水酸化カリウムなどが挙げられる。アンモニウムの水酸化物としては、水酸化アンモニウム、第４級アンモニウム水酸化物、第４級ホスホニウム水酸化物が挙げられる。アルカリ金属の炭酸塩としては、炭酸リチウム、炭酸ナトリウム、炭酸カリウムなどが挙げられる。
【００２１】
−キレート試薬−
キレート試薬としては、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。
−コゲーション防止剤−
本発明に係るインクにはコゲーション防止剤を添加することができる。
コゲーションとは、ヒーターに電流を流してインクを瞬間的に加熱し、インクが発泡する力を利用してインクを吐出するサーマル式ヘッドにおける不具合であり、インクが熱せられる際にインク成分に変質が起こり、ヒーターに変質物が付着する現象を言う。コゲーションが生じると、ヒーターによる加熱が正常に行われなくなり、吐出力が弱くなったり、最悪の場合、インクが吐出しなくなってしまう。
コゲーション防止剤としては、ポリリン酸、ポリアミノカルボン酸、アルドン酸、ヒドロキシカルボン酸、ポリオールリン酸エステル、及びこれらの塩、あるいは、アミノ基を有する酸及び／又はその塩、あるいは、メチル基又はメチレン基とカルボキシル基とを有する酸のアンモニウム塩、などが挙げられる。
【００２２】
−記録装置−
本発明のインクセットは、インクジェット記録方式による各種記録装置、例えば、インクジェット記録用プリンタ、ファクシミリ装置、複写装置、プリンタ／ファックス／コピア複合機などに好適に使用することができる。また、特にフッ素系シランカップリング剤を含む撥インク層、又はシリコーン樹脂を含む撥インク層を有するインクジェットヘッドを備えた記録装置に対してもヘッド固着を生じないという優れた特性を有する。
以下、実施例でも用いたインクジェット記録装置について概要を説明する。
図１に示すインクジェット記録装置は、装置本体（１０１）と、装置本体（１０１）に装着した用紙を装填するための給紙トレイ（１０２）と、装置本体（１０１）に装着され画像が記録（形成）された用紙をストックするための排紙トレイ（１０３）と、インクカートリッジ装填部（１０４）とを有する。インクカートリッジ装填部（１０４）の上面には、操作キーや表示器などの操作部（１０５）が配置されている。インクカートリッジ装填部（１０４）は、インクカートリッジ（２００）の脱着を行うための開閉可能な前カバー（１１５）を有している。（１１１）は上カバー、（１１２）は前カバーの前面である。
【００２３】
装置本体（１０１）内には、図２に示すように、左右の側板（不図示）に横架したガイド部材であるガイドロッド（１３１）とステー（１３２）とが備えられており、キャリッジ（１３３）を主走査方向に摺動自在に保持し、主走査モータ（不図示）によって移動走査する。
キャリッジ（１３３）には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド（１３４）の複数のインク吐出口を、主走査方向と交叉する方向に配列し、インク滴吐出方向を下方に向けて装着している。
記録ヘッド（１３４）を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
また、キャリッジ（１３３）には、記録ヘッド（１３４）に各色のインクを供給するための各色のサブタンク（１３５）を搭載している。サブタンク（１３５）には、インク供給チューブ（不図示）を介して、インクカートリッジ装填部（１０４）に装填されたインクカートリッジ（２００）から、本発明のインクセットのインクが供給され補充される。
【００２４】
一方、給紙トレイ（１０３）の用紙積載部（圧板）（１４１）上に積載した用紙（１４２）を給紙するための給紙部として、用紙積載部（１４１）から用紙（１４２）を１枚づつ分離給送する半月コロ〔給紙コロ（１４３）〕、及び給紙コロ（１４３）に対向し、摩擦係数の大きな材質からなる分離パッド（１４４）を備え、この分離パッド（１４４）は給紙コロ（１４３）側に付勢されている。
この給紙部から給紙された用紙（１４２）を記録ヘッド（１３４）の下方側で搬送するための搬送部として、用紙（１４２）を静電吸着して搬送するための搬送ベルト（１５１）と、給紙部からガイド（１４５）を介して送られる用紙（１４２）を搬送ベルト（１５１）との間で挟んで搬送するためのカウンタローラ（１５２）と、略鉛直上方に送られる用紙（１４２）を略９０°方向転換させて搬送ベルト（１５１）上に倣わせるための搬送ガイド（１５３）と、押さえ部材（１５４）で搬送ベルト（１５１）側に付勢された先端加圧コロ（１５５）とが備えられ、また、搬送ベルト（１５１）表面を帯電させるための帯電手段である帯電ローラ（１５６）が備えられている。
【００２５】
搬送ベルト（１５１）は無端状ベルトであり、搬送ローラ（１５７）とテンションローラ（１５８）との間に張架されて、ベルト搬送方向に周回可能である。この搬送ベルト（１５１）は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト（１５１）の裏側には、記録ヘッド（１３４）による印写領域に対応してガイド部材（１６１）が配置されている。なお、記録ヘッド（１３４）で記録された用紙（１４２）を排紙するための排紙部として、搬送ベルト（１５１）から用紙（１４２）を分離するための分離爪（１７１）と、排紙ローラ（１７２）及び排紙コロ（１７３）とが備えられており、排紙ローラ（１７２）の下方に排紙トレイ（１０３）が配されている。
装置本体（１０１）の背面部には、両面給紙ユニット（１８１）が着脱自在に装着されている。両面給紙ユニット（１８１）は、搬送ベルト（１５１）の逆方向回転で戻される用紙（１４２）を取り込んで反転させ、再度、カウンタローラ（１５２）と搬送ベルト（１５１）との間に給紙する。なお、両面給紙ユニット（１８１）の上面には手差し給紙部（１８２）が設けられている。
【００２６】
このインクジェット記録装置においては、給紙部から用紙（１４２）が１枚ずつ分離給紙され、略鉛直上方に給紙された用紙（１４２）は、ガイド（１４５）で案内され、搬送ベルト（１５１）とカウンタローラ（１５２）との間に挟まれて搬送される。更に先端を搬送ガイド（１５３）で案内されて先端加圧コロ（１５５）で搬送ベルト（１５１）に押し付けられ、略９０°搬送方向を転換される。
このとき、帯電ローラ（１５６）によって搬送ベルト（１５７）が帯電されており、用紙（１４２）は、搬送ベルト（１５１）に静電吸着されて搬送される。そこで、キャリッジ（１３３）を移動させながら画像信号に応じて記録ヘッド（１３４）を駆動することにより、停止している用紙（１４２）にインク滴を吐出して１行分を記録し、用紙（１４２）を所定量搬送後、次の行の記録を行う。記録終了信号又は用紙（１４２）の後端が記録領域に到達した信号を受けることにより、記録動作を終了して、用紙（１４２）を排紙トレイ（１０３）に排紙する。
【００２７】
そして、サブタンク（１３５）内のインクの残量ニアーエンドが検知されると、インクカートリッジ（２００）から所要量のインクがサブタンク（１３５）に補給される。
このインクジェット記録装置においては、インクカートリッジ（２００）中のインクを使い切ったときには、インクカートリッジ（２００）における筐体を分解して内部のインク袋だけを交換することができる。また、インクカートリッジ（２００）は、縦置きで前面装填構成としても、安定したインクの供給を行うことができる。したがって、装置本体（１０１）の上方が塞がって設置されているような場合、例えばラック内に収納したり、あるいは装置本体（１０１）の上面に物が置かれているような場合でも、インクカートリッジ（２００）の交換を容易に行うことができる。
なお、ここでは、キャリッジが走査するシリアル型（シャトル型）インクジェット記録装置の例について説明したが、ライン型ヘッドを備えたライン型インクジェット記録装置にも同様に適用することができる。
【実施例】
【００２８】
以下、実施例及び比較例を示して本発明を更に具体的に説明するが、本発明はこれらの実施例により限定されるものではない。
【００２９】
実施例１
＜黒インク１−Ｋ＞
・ダイレクトブラック１９５                                        ６．０重量部
（ＰＲＯ−ＪＥＴ  Ｆａｓｔ  Ｂｌａｃｋ  ２  Ｌｉｑｕｉｄ、
富士フィルムイメージングカラーラント社製）
・ディスパノールＴＯＣ                                            ０．５重量部
（ポリオキシエチレンアルキレン誘導体、固形分１００％、日本油脂社製）
・水酸化リチウム                                                  ０．２重量部
・プロキセルＬＶ（アベシア社製、防腐防黴剤）                      ０．１重量部
・グリセリン                                                    １４．０重量部
・３−メチル−３−ブタンジオール                                １４．０重量部
・１，３−ブタンジオール                                        １４．０重量部
・２，２，４−トリメチル−１，３−ペンタンジオール                １．０重量部
・イオン交換水                                                  ５０．２重量部
上記材料をイオン交換水に溶解し、０．２μｍのフィルターでろ過して黒インクを得た。インク全体に対し、水溶性溶剤の占める割合は４３．０重量％、水の占める割合は５０．２重量％で、Ｓ（水溶性溶剤の量）＜Ｗ（水の量）の関係にあり、Ｓ／Ｗ＝０．８６である。
【００３０】
＜シアンインク１−Ｃ＞
・ダイレクトブルー８６（ダイワ化成社製）                          ３．０重量部
・ディスパノールＴＯＣ                                            ０．５重量部
（ポリオキシエチレンアルキレン誘導体、固形分１００％、日本油脂社製）
・水酸化リチウム                                                  ０．２重量部
・プロキセルＬＶ（アベシア社製、防腐防黴剤）                      ０．１重量部
・グリセリン                                                    １６．０重量部
・３−メチル−１，３−ブタンジオール                            １６．０重量部
・１，３−ブタンジオール                                        １６．０重量部
・２，２，４−トリメチル−１，３−ペンタンジオール                １．０重量部
・イオン交換水                                                  ４７．２重量部
上記材料をイオン交換水に溶解し、０．２μｍのフィルターでろ過してシアンインクを得た。インク全体に対し、水溶性溶剤の占める割合は４９．０重量％、水の占める割合は４７．２重量％で、Ｓ（水溶性溶剤の量）＞Ｗ（水の量）の関係にあり、Ｓ／Ｗ＝１．０４である。
【００３１】
＜マゼンタインク１−Ｍ＞
・リアクティブレッド                                              ２．５重量部
（ＰＲＯ−ＪＥＴ  Ｍａｇｅｎｔａ  ３Ｂ−ＯＡ  Ｌｉｑｕｉｄ、
富士フィルムイメージングカラーラント社製）
・ディスパノールＴＯＣ                                            ０．５重量部
（ポリオキシエチレンアルキレン誘導体、固形分１００％、日本油脂社製）
・水酸化リチウム                                                  ０．２重量部
・プロキセルＬＶ（アベシア社製、防腐防黴剤）                      ０．１重量部
・グリセリン                                                    １６．０重量部
・３−メチル−１，３−ブタンジオール                            １６．０重量部
・１，３−ブタンジオール                                        １６．０重量部
・２，２，４−トリメチル−１，３−ペンタンジオール                １．０重量部
・イオン交換水                                                  ４７．７重量部
上記材料をイオン交換水に溶解し、０．２μｍのフィルターでろ過してマゼンタインクを得た。インク全体に対し、水溶性溶剤の占める割合は４９．０重量％、水の占める割合は４７．７重量％で、Ｓ（水溶性溶剤の量）＞Ｗ（水の量）の関係にあり、Ｓ／Ｗ＝１．０３である。
【００３２】
＜イエローインク１−Ｙ＞
・アシッドイエロー（ダイワ化成社製）                              ２．５重量部
・ディスパノールＴＯＣ                                            ０．５重量部
（ポリオキシエチレンアルキレン誘導体、固形分１００％、日本油脂社製）
・水酸化リチウム                                                  ０．２重量部
・プロキセルＬＶ（アベシア社製、防腐防黴剤）                      ０．１重量部
・グリセリン                                                    １６．０重量部
・３−メチル−１，３−ブタンジオール                            １６．０重量部
・１，３−ブタンジオール                                        １６．０重量部
・２，２，４−トリメチル−１，３−ペンタンジオール                １．０重量部
・イオン交換水                                                  ４７．７重量部
上記材料をイオン交換水に溶解し、０．２μｍのフィルターでろ過してマゼンタインクを得た。インク全体に対し、水溶性溶剤の占める割合は４９．０重量％、水の占める割合は４７．７重量％で、Ｓ（水溶性溶剤の量）＞Ｗ（水の量）の関係にあり、Ｓ／Ｗ＝１．０３である。
【００３３】
実施例１で作成した各インク（１−Ｋ、１−Ｃ、１−Ｍ、１−Ｙ）について、以下のようにして種々の特性を測定した。
（１）引火点の測定
クリーブランド開放式引火点試験法を用い、ＪＩＳ−Ｋ２２６５に従って引火点を測定した。結果を表２に示す。
（２）粘度の測定
東機産業社製ＲＣ−５００を用いて、２５℃における粘度を測定した。結果を表２に示す。
【００３４】
（３）吐出安定性の測定
前述した図１〜図２の構造のインクジェット記録装置（リコー社製、ＩＰＳｉＯ  Ｇ７０７）を用い、インクセット（１−Ｋ、１−Ｃ、１−Ｍ、１−Ｙ）を充填し、以下の方法で評価を行った。
まず１０分間連続印字を行ない、ヘッド面にインクが付着したまま保湿キャップをして５０℃６０％ＲＨ環境下で１ヶ月間放置した後、クリーニングを行って、放置前と同等に復帰させた。その後、以下の条件で間欠印写試験を行ない吐出安定性を測定した。
すなわち、下記の印刷パターンチャートを２０枚連続で印字した後、２０分間、印字を実施しない休止状態にし、これを５０回繰り返し、累計で１０００枚印写後、もう１枚同じチャートを印写した時の、５％チャートベタ部の筋，白抜け，噴射乱れの有無を目視により下記の基準で評価した。評価結果を表２に示すが、Ａ、Ｂが許容範囲である。
〔印刷パターン〕
紙面全面積中、各色印字面積が５％であるチャートにおいて、各インクを１００％ｄｕｔｙで印字した。印字条件は、記録密度は３００ｄｐｉ、ワンパス印字とした。
〔評価基準〕
Ａ：ベタ部にスジ，白抜け，噴射乱れが無い。
Ｂ：ベタ部にスジ，白抜け，噴射乱れが若干認められる。
Ｃ：ベタ部にスジ，白抜け，噴射乱れが認められる。
Ｄ：ベタ部全域にわたってスジ，白抜け，噴射乱れが認められる。
【００３５】
（４）カラーブリード
前述した図１〜図２の構造のインクジェット記録装置（リコー社製、ＩＰＳｉＯ  Ｇ７０７）を用い、インクセット（１−Ｋ、１−Ｃ、１−Ｍ、１−Ｙ）を充填して、以下の方法で評価を行った。
すなわち、マゼンタ、シアン、イエロー、及びマゼンタとイエローを記録媒体上で混色させて形成する赤、シアンとイエローを記録媒体上で混色させて形成する緑の各カラーインクからなるベタ画像部中に、黒インクの文字を印字する印刷パターンを用い、試験用紙としてマイペーパー（リコー社製）を用いて印字を行った。印字条件は１００％ｄｕｔｙ、記録密度は３００ｄｐｉ、ワンパス印字とした。カラーインク及びカラーインクを記録媒体上で混色させて形成した赤、緑のベタ画像部と黒インクの文字間のカラーブリード（にじみ）を目視により下記の基準で評価した。結果を表３に示すが、Ａ、Ｂが許容範囲である。
〔評価基準〕
Ａ：カラーブリードの発生がなく、黒文字が鮮明に認識できる。
Ｂ：カラーブリードが若干発生し、黒文字が少しにじむ。
Ｃ：カラーブリードが発生し、黒文字がにじむが認識は可能である。
Ｄ：カラーブリードが発生し、黒文字の認識が困難である。
【００３６】
実施例２〜６、比較例１〜５
実施例１の材料と組成を、表１の実施例２〜６及び比較例１〜５の欄に示す材料と組成に変更した点以外は、実施例１と同様にして各インク（２−Ｋ〜１１−Ｋ、２−Ｃ〜１１−Ｃ、２−Ｍ〜１１−Ｍ、２−Ｙ〜１１−Ｙ）を作成し、それらの特性の測定及び評価を行った。その結果を、各インクの水溶性溶剤量Ｓ、イオン交換水量Ｗ、Ｓ／Ｗとともに、表２、表３に示す。
【００３７】
【表１】
2011184518.tif 000002
【００３８】
上記表１に略号で示した材料は、以下の通りである。
ＧＬＹ：グリセリン
ＭＢＤ：３−メチル−１，３−ブタンジオール
１３ＢＤ：１，３−ブタンジオール
２Ｐ：２−ピロリドン
２２４ＴＭ１３ＰＤ：２，２，４−トリメチル−１，３−ペンタンジオール
２Ｅ１３ＨＤ：２−エチル−１，３−ヘキサンジオール
ＴＯＣ：ディスパノールＴＯＣ（ポリオキシエチレンアルキレン誘導体、
固形分１００％、日本油脂社製）
ＬｉＯＨ：水酸化リチウム
ＴＥＡ：トリエタノールアミン
ＡＥＰＤ：２−アミノ−２−エチル−１，３−プロパンジオール
ＬＶ：プロキセルＬＶ（アベシア社製、防腐防黴剤）
【００３９】
【表２】
2011184518.tif 000003
【００４０】
【表３】
2011184518.tif 000004
【符号の説明】
【００４１】
１０１  装置本体
１０２  給紙トレイ
１０３  排紙トレイ
１０４  インクカートリッジ装填部
１０５  操作部
１１１  上カバー
１１２  前カバーの前面
１１５  前カバー
１３１  ガイドロッド
１３２  ステー
１３３  キャリッジ
１３４  記録ヘッド
１３５  サブタンク
１４１  用紙載置部
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
２００  インクカートリッジ
【先行技術文献】
【特許文献】
【００４２】
【特許文献１】特開２００７−１７７００７号公報
【特許文献２】特許第３１５４３３３号公報
【特許文献３】特開２００３−２６１８３２号公報
【特許文献４】特開２００３−３２１６３３号公報
【特許文献５】特開２００８−５０２３７０号公報
【図１】
2011184518.tif 000005
【図２】
2011184518.tif 000006